(57)【要約】【課題】作業床の高さ位置を変更可能であるとともに、昇降路を下降する乗かごとの干渉を生じることなく昇降路内に収納できるエレベータの制御盤点検装置の提供。【解決手段】本発明は、昇降路壁に取り付けた制御盤１の下方に設けたベース部材３と、制御盤１の直下に配置され、ベース部材３に回動可能に連結した第１作業床２と、一端が第１作業床２に回動可能に連結され、他端がベース部材３の切り欠き部３ａに係脱し、第１作業床２を水平状態に支持する第１支持部材４と、ベース部材３に回動可能に連結した長尺体２２と、この長尺体２２に回動可能に連結した第２作業床６と、一端が第２作業床６に回動可能に連結され、他端が長尺体２２の切り欠き部２２ａに係脱し、第２作業床６を水平状態に支持する第２支持部材５と、上端が昇降路壁に固定され、下端が第２作業床６の側面に係脱可能な索状体７とを備えた構成にしてある。【選択図】図２
2013018621.tif 000002
【特許請求の範囲】
【請求項１】
エレベータの昇降路壁に取り付けられる制御盤の点検に際して活用されるエレベータの制御盤点検装置において、
前記昇降路壁に取り付けたベース部と、
前記制御盤の直下に配置され、前記ベース部に回動可能に連結され、作業者が乗って前記制御盤の点検作業を行うことを可能にする第１作業床と、
一端が前記第１作業床及び前記ベース部のうちの一方に回動可能に連結され、他端が前記第１作業床及び前記ベース部のうちの他方に係脱可能であって、前記他端を前記第１作業床及び前記ベース部のうちの該当するものに係着させたときに、前記第１作業床を水平状態に支持する第１支持部材と、
前記ベース部に回動可能に連結した支柱と、
前記支柱に回動可能に連結され、作業者が乗って前記制御盤の点検作業を行うことを可能にする第２作業床と、
一端が前記第２作業床及び前記支柱のうちの一方に回動可能に連結され、他端が前記第２作業床及び前記支柱のうちの他方に係脱可能であって、前記支柱を鉛直方向に立設させるように回動させた状態で、前記他端を前記第２作業床及び前記支柱のうちの該当するものに係着させたときに、前記第２作業床を前記第１作業床よりも高い位置に支持し、かつ、水平状態に支持する第２支持部材と、
上端が前記昇降路壁に固定され、下端が前記昇降路壁に係脱可能に保持され、前記昇降路壁から離脱させた前記下端を前記第２作業床に係着可能な作業床保持具を備えたことを特徴とするエレベータの制御盤点検装置。
【請求項２】
請求項１に記載のエレベータの制御盤点検装置において、
前記ベース部は、前記制御盤の下方に配置され、前記昇降路壁の鉛直方向に延設されて、それぞれ横断面がＬ字状の一対のベース部材から成り、
前記支柱は、前記ベース部材のそれぞれの上部に回動可能に連結される一対の長尺体から成り、
前記第１作業床は、前記ベース部材のそれぞれの上部に回動可能に連結され、断面がコ字形状の部材から成り、
前記第２作業床は、前記長尺体の前記ベース部材に連結される端部とは反対側に位置する端部に回動可能に連結され、断面がコ字形状の部材から成り、
前記作業床保持具は、上端のそれぞれが制御盤の外側に位置する昇降路壁部分に固定される一対の索状体から成り、これらの索状体のそれぞれの下端を、前記第２作業床の側面のそれぞれに係着可能に形成し、
前記第１作業床を、前記一対のベース部材間に収納可能な形状寸法に設定し、
前記長尺体のそれぞれを、前記第１作業床内に配置可能であって、前記制御盤の側面の外側に配置可能な形状寸法に設定したことを特徴とするエレベータの制御盤点検装置。
【請求項３】
請求項２に記載のエレベータの制御盤点検装置において、
前記昇降路壁に固定され、前記索状体のそれぞれの上端が取り付けられる取付金具と、
前記昇降路壁に固定され、前記索状体のそれぞれの下端が係脱可能な取付金具と、
前記第２作業床のそれぞれの側面に固定され、前記索状体の下端が係脱可能な取付金具とを備えたことを特徴とするエレベータの制御盤点検装置。
【請求項４】
請求項３に記載のエレベータの制御盤点検装置において、
下端が昇降路のピット床に載置され、上端が水平状態に支持されている前記第１作業床に係脱可能な第１点検梯子と、下端が水平状態に支持されている前記第１作業床に載置され、上端が水平状態に支持されている前記第２作業床に係脱可能な第２点検梯子とを備え、
前記第１点検梯子及び前記第２点検梯子のそれぞれを、前記ピット床の床面に沿って配置可能な形状寸法に設定したことを特徴とするエレベータの制御盤点検装置。
【請求項５】
請求項１〜４のいずれか１項に記載のエレベータの制御盤点検装置において、
当該エレベータは、機械室レスエレベータから成ることを特徴とするエレベータの制御盤点検装置。
【発明の詳細な説明】
【技術分野】
【０００１】
本発明は、エレベータの昇降路壁に設置される制御盤の点検に際して活用されるエレベータの制御盤点検装置に関する。
【背景技術】
【０００２】
エレベータの昇降路壁に配置され、ピット床から手の届かない位置に設けられる制御盤を点検する際には、点検作業者の足場確保のために活用される作業床が必要となる。昨今、エレベータの大容量化、高速化に伴い、巻上機等の昇降路内機器の形状が大きくなりがちであり、また、昇降路の省スペース化が要望されてきている。これに応じて、昇降路内に設置される制御盤は高さ寸法が高く設定される傾向にある。このようなことから、昇降路内に設置される作業床の高さ位置を変更して、制御盤の点検作業を行うことも必要になってきている。
【０００３】
ところで、上述したような作業床の高さ位置を変更できる装置が、特許文献１に開示されている。この特許文献１に開示された従来技術は、ピット床上に延設される昇降はしご固定腕と、この昇降はしご固定腕の一端から立設され、昇降路の高さ方向に延設させた昇降はしご固定支柱と、下端が昇降はしご固定腕の他端に接続され、上端が昇降はしご固定支柱に接続される昇降はしごと、この昇降はしごに着脱可能に、しかも高さ位置を変えて取り付けることが可能な作業床を備えた構成になっている。
【先行技術文献】
【特許文献】
【０００４】
【特許文献１】特開２００４−１８２３５１号公報
【発明の概要】
【発明が解決しようとする課題】
【０００５】
前述した従来技術は、乗かごの下降時に乗かごと干渉する大きな形状となることから、昇降路壁に設置した制御盤の点検作業が終了した際などにあっては、解体し、昇降路内から撤去する煩雑な作業が必要になる。これに伴って、点検作業工数が増加し、点検作業に要する費用が高くなる問題がある。
【０００６】
本発明は、前述した従来技術における実状からなされたもので、その目的は、作業床の高さ位置を変更可能であるとともに、昇降路を下降する乗かごとの干渉を生じることなく昇降路内に収納させることができるエレベータの制御盤点検装置を提供することにある。
【課題を解決するための手段】
【０００７】
前記目的を達成するために、本発明は、エレベータの昇降路壁に取り付けられる制御盤の点検に際して活用されるエレベータの制御盤点検装置において、前記昇降路壁に取り付けたベース部と、前記制御盤の直下に配置され、前記ベース部に回動可能に連結され、作業者が乗って前記制御盤の点検作業を行うことを可能にする第１作業床と、一端が前記第１作業床及び前記ベース部のうちの一方に回動可能に連結され、他端が前記第１作業床及び前記ベース部のうちの他方に係脱可能であって、前記他端を前記第１作業床及び前記ベース部のうちの該当するものに係着させたときに、前記第１作業床を水平状態に支持する第１支持部材と、前記ベース部に回動可能に連結した支柱と、前記支柱に回動可能に連結され、作業者が乗って前記制御盤の点検作業を行うことを可能にする第２作業床と、一端が前記第２作業床及び前記支柱のうちの一方に回動可能に連結され、他端が前記第２作業床及び前記支柱のうちの他方に係脱可能であって、前記支柱を鉛直方向に立設させるように回動させた状態で、前記他端を前記第２作業床及び前記支柱のうちの該当するものに係着させたときに、前記第２作業床を前記第１作業床よりも高い位置に支持し、かつ、水平状態に支持する第２支持部材と、上端が前記昇降路壁に固定され、下端が前記昇降路壁に係脱可能に保持され、前記昇降路壁から離脱させた前記下端を前記第２作業床に係着可能な作業床保持具を備えたことを特徴としている。
【０００８】
このように構成した本発明は、エレベータの昇降路壁に設置される制御盤の点検作業時には、第１作業床を水平状態となるまで回動させ、この状態で第１支持部材の他端を第１作業床及びベース部のうちの該当するものに係着させる。これにより、第１作業床は点検作業者の乗り込みが可能な水平状態に保たれる。したがって、点検作業者が第１作業床に乗り込むことにより、制御盤の下部の手の届く範囲における点検作業を行うことができる。
【０００９】
この状態からさらに、それまで手の届かなった制御盤の上部の点検作業を行う場合には、支柱を鉛直方向に立設させるように上方に回動させ、また第２作業床を水平状態となるまで回動させ、支柱が立設し、第２作業床が水平となった状態で、第２支持部材の他端を第２作業床及び支柱のうちの該当するものに係着させる。ここでまた、作業床保持具の下端を第２作業床に係着させる。これにより、第２作業床は点検作業者の乗り込みが可能な水平状態に保たれる。したがって、点検作業者が第２作業床に乗り込むことにより、制御盤の上部の手の届く範囲における点検作業を行うことができる。
【００１０】
例えば、前述のように第２作業床を水平に保っている状態にあって、制御盤に係る点検作業が終了した際などには、作業床保持具の下端を第２作業床から取り外し、その下端を昇降路壁に係着する。これにより、作業床保持具は昇降路壁に上下方向に延設された状態で固定される。また、このような状態から第２支持部材の他端を第２作業床及び支柱のうちの該当するものから取り外し、第２作業床及び支柱を下方に回動させる。さらに、このような状態から、第１支持部材の他端を第１作業床及びベース部のうちの該当するものから取り外す。これにより、第１作業床がベース部から垂下し、第１支持部材がベース部または第１作業床から垂下し、支柱がベース部から垂下し、第２作業床が支柱から垂下し、第２支持部材が第２作業床または支柱から垂下する。したがって、第１作業床、第１支持部材、支柱、第２作業床、及び第２支持部材を、制御盤の直下に配置させることができる。
【００１１】
すなわち本発明は、第１作業床及び第１支持部材の回動動作によって第１作業床を第１の高さ位置に水平保持でき、また、第２作業床、支柱、第２支持部材、及び作業床保持具によって、第２作業床を前述した第１の高さ位置よりも高い第２の高さ位置に水平保持できて、点検作業者が乗る作業床の高さ位置を変更することができる。また本発明は、収納時には、作業床保持具を昇降路壁面に上下方向に延設されるように固定でき、また、第１作業床、第１支持部材、支柱、第２作業床、及び第２支持部材を制御盤の直下に配置することができ、これらにより乗かごの下降時にこの乗かごとの干渉を生じることなく昇降路内に収納させることができる。したがって、昇降路内から本発明に係る制御盤点検装置を撤去する煩雑な作業が不要となる。
【００１２】
また本発明は、前記発明において、前記ベース部は、前記制御盤の下方に配置され、前記昇降路壁の鉛直方向に延設されて、それぞれ横断面がＬ字状の一対のベース部材から成り、前記支柱は、前記ベース部材のそれぞれの上部に回動可能に連結される一対の長尺体から成り、前記第１作業床は、前記ベース部材のそれぞれの上部に回動可能に連結され、断面がコ字形状の部材から成り、前記第２作業床は、前記長尺体の前記ベース部材に連結される端部とは反対側に位置する端部に回動可能に連結され、断面がコ字形状の部材から成り、前記作業床保持具は、上端のそれぞれが制御盤の外側に位置する昇降路壁部分に固定される一対の索状体から成り、これらの索状体のそれぞれの下端を、前記第２作業床の側面のそれぞれに係着可能に形成し、前記第１作業床を、前記一対のベース部材間に収納可能な形状寸法に設定し、前記長尺体のそれぞれを、前記第１作業床内に配置可能であって、前記制御盤の側面の外側に配置可能な形状寸法に設定したことを特徴としている。
【００１３】
また本発明は、前記発明において、前記昇降路壁に固定され、前記索状体のそれぞれの上端が取り付けられる取付金具と、前記昇降路壁に固定され、前記索状体のそれぞれの下端が係脱可能な取付金具と、前記第２作業床のそれぞれの側面に固定され、前記索状体の下端が係脱可能な取付金具とを備えたことを特徴としている。
【００１４】
また本発明は、前記発明において、下端が昇降路のピット床に載置され、上端が水平状態に支持されている前記第１作業床に係脱可能な第１点検梯子と、下端が水平状態に支持されている前記第１作業床に載置され、上端が水平状態に支持されている前記第２作業床に係脱可能な第２点検梯子とを備え、前記第１点検梯子及び前記第２点検梯子のそれぞれを、前記ピット床の床面に沿って配置可能な形状寸法に設定したことを特徴としている。
【００１５】
また本発明は、前記発明において、当該エレベータは、機械室レスエレベータから成ることを特徴としている。
【発明の効果】
【００１６】
本発明は、第１支持部材を介して第１作業床を水平状態となる第１の高さ位置に保ち、支柱、第２支持部材、及び作業床保持具を介して第２作業床を水平状態となる第２の高さ位置に保つことができる。また、収納時には、作業床保持具を昇降路壁の上下方向に延設させるように固定できるとともに、制御盤の直下に第１作業床、第１支持部材、支柱、第２作業床、及び第２支持部材を配置することができる。すなわち本発明は、作業床の高さ位置を変更可能であるとともに、昇降路を下降する乗かごとの干渉を生じることなく昇降路内に収納させることができる。これにより本発明は、従来技術におけるような昇降路内から撤去する煩雑な作業が不要となり、従来に比べて点検作業工数を少なくし、点検作業に要する費用を低減させることができる。
【図面の簡単な説明】
【００１７】
【図１】本発明に係る制御盤点検装置の一実施形態が活用されるエレベータの主要機器の配置形態の一例を示す平面図である。
【図２】制御盤の上部の点検作業を実施するときの本実施形態の配設状態を示す斜視図である。
【図３】制御盤の下部の点検作業を実施するときの本実施形態の配設状態を示す斜視図である。
【図４】本実施形態を昇降路内に収納したときの状態を示す斜視図である。
【発明を実施するための形態】
【００１８】
以下、本発明に係るエレベータの制御盤点検装置の実施の形態を図に基づいて説明する。
【００１９】
図１は本発明に係る制御盤点検装置の一実施形態が活用されるエレベータの主要機器の配置形態の一例を示す平面図である。
【００２０】
本実施形態に係る制御盤点検装置が活用されるエレベータは、例えば機械室レスエレベータである。この機械室レスエレベータは、図１に示すように、昇降路内にかごドア２１を有する乗かご１５と、つり合いおもり１６と、乗かご１５を案内する一対のガイドレール１８と、つり合いおもり１６を案内する一対のガイドレール１７が配置されている。また、昇降路内に、乗かご１５、及びつり合いおもり１６のそれぞれに対応させてピット床に配置した緩衝装置１９と、巻上機１４と、ガバナ装置２０と、本実施形態の点検対象である制御盤１とが配置されている。すなわち、比較的狭いスペースの中に密集するように主要機器が配置されている。これに伴って、制御盤１は高さ寸法が高くなるように予め設定され、昇降路壁に取り付けられている。
【００２１】
図２は制御盤の上部の点検作業を実施するときの本実施形態の配設状態を示す斜視図、図３は制御盤の下部の点検作業を実施するときの本実施形態の配設状態を示す斜視図、図４は本実施形態を昇降路内に収納したときの状態を示す斜視図である。
【００２２】
本実施形態に係る制御盤点検装置は、昇降路壁に設けたベース部を備えている。このベース部は、図２に示すように、制御盤１の下方に配置され、昇降路壁の鉛直方向に延設されて、それぞれ横断面がＬ字状の一対のベース部材３から成っている。これらのベース部材３には、図３，４にも示すように、下方部分に切り欠き部３ａをそれぞれ形成してある。
【００２３】
また本実施形態は、制御盤１の直下に配置され、ベース部材３のそれぞれの上部に回動可能に連結され、点検作業者が乗って制御盤１の点検作業を行うことを可能にする第１作業床２を備えている。この第１作業床２は、例えば断面がコ字形状の部材から成り、一対のベース部材３間に収容可能な形状寸法に設定してある。
【００２４】
また本実施形態は、一端が第１作業床２及びベース部材３のうちの一方に、例えば第１作業床２に回動可能に連結され、他端が第１作業床２及びベース部材３のうちの他方に、例えばベース部材３の切り欠き部３ａに係脱可能であって、他端をベース部材３の切り欠き部３ａに係着させたときに、図２に示すように、第１作業床２を水平状態に支持する第１支持部材４を備えている。
【００２５】
また本実施形態は、ベース部材３に回動可能に連結した支柱、例えばベース部材３のそれぞれの上部に回動可能に連結される一対の長尺体２２を備えている。これらの長尺体２２は例えば、図３に示すように第１作業床２内に配置可能であって、図２に示すように制御盤１の側面の外側に配置可能な形状寸法に設定してある。これらの長尺体２２には、図３等に示すように、ベース部材３との連結部の近傍位置に切り欠き部２２ａをそれぞれ形成してある。
【００２６】
また本実施形態は、図２に示すように、長尺体２２に回動可能に連結され、点検作業者が乗って制御盤１の点検作業を行うことを可能にする第２作業床６を備えている。この第２作業床６は、長尺体２２のベース部材３に連結される端部とは反対側に位置する端部に回動可能に連結され、断面がコ字形状の部材から成っている。
【００２７】
また本実施形態は、一端が第２作業床６及び長尺体２２のうちの一方に、例えば第２作業床６に回動可能に連結され、他端が第２作業床６及び長尺体２２のうちの他方に、例えば長尺体２２の切り欠き部２２ａに係脱可能であって、図２に示すように、長尺体２２を鉛直方向に立設させるように回動させた状態で、他端を長尺体２２の切り欠き部２２ａに係着させたときに、第２作業床６を第１作業床２よりも高い位置に支持し、かつ、水平状態に支持する第２支持部材５を備えている。
【００２８】
また本実施形態は、上端が昇降路壁に固定され、下端が昇降路壁に係脱可能に保持され、昇降路壁から離脱させた下端を第２作業床６に連結可能な作業床保持具を備えている。この作業床保持具は例えば、上端のそれぞれが制御盤１の側面の外側に位置する昇降路壁部分に固定される一対の索状体７から成っている。これらの索状体７のそれぞれの下端は、第２作業床６の側面のそれぞれに係着可能となっている。
【００２９】
また本実施形態は、図２に示すように、昇降路壁に固定され、索状体７のそれぞれの上端が取り付けられる取付金具８と、昇降路壁に固定され、索状体７のそれぞれの下端が係脱可能な取付金具９と、第２作業床６のそれぞれの側面に固定され、索状体７の下端が係脱可能な取付金具１０とを備えている。
【００３０】
また本実施形態は、図２に示すように、下端が昇降路のピット床に載置され、上端が水平状態に支持されている第１作業床２の取付部１２に係脱可能な第１点検梯子１１と、下端が水平状態に支持されている第１作業床２に載置され、上端が水平状態に支持されている第２作業床６の取付部１３に係脱可能な図示しない第２点検梯子とを備えている。これらの第１点検梯子１１及び図示しない第２点検梯子のそれぞれは、昇降路のピット床の床面に沿って配置可能な形状寸法に設定してある。
【００３１】
このような構成を備えた本実施形態に係る制御盤点検装置を用いて、昇降路壁に設置された制御盤１の点検作業を行うに際しては、図４に示す状態から第１作業床２を水平状態となるまで回動させ、この状態で第１支持部材４の他端をベース部材３の切り欠き部３ａに係着させる。これにより、図３に示すように、第１作業床６は点検作業者の乗り込みが可能な水平状態に保たれる。ここで、第１点検梯子１１の下端を昇降路のピット床に載置し、上端を第１作業床６の取付部１２に係着させる。したがって、第１点検梯子１１を介して点検作業者が図３に示すように支持されている第１作業床２に乗り込むことにより、制御盤１の下部の手の届く範囲における点検作業を行うことができる。
【００３２】
この状態からさらに、それまで手の届かなかった制御盤１の上部の点検作業を行う場合には、長尺体２２を鉛直方向に立設させるように上方に回動させ、また第２作業床６を水平状態となるまで回動させ、図２に示すように、長尺体２２が立設し、第２作業床６が水平となった状態で、第２支持部材５の他端を長尺体２２の切り欠き部２２ａに係着させる。また、索状体７の下端を昇降路壁に固定された取付金具９から取り外し、図２に示すように、第２作業床６の取付金具１０に係着させる。これにより、第２作業床６は点検作業者の乗り込みが可能な水平状態に保たれる。ここで、図示しない第２点検梯子の下端を第１作業床２に載置し、上端を第２作業床６の取付部１３に係着させる。したがって、第１点検梯子１１及び図示しない第２点検梯子を介して点検作業者が図２に示すように支持されている第２作業床６に乗り込むことにより、制御盤１の上部の手の届く範囲における点検作業を行うことができる。
【００３３】
例えば、図２に示すように第１作業床２及び第２作業床６を水平に保っている状態にあって、制御盤１に係る点検作業が終了した際などには、索状体７のそれぞれの下端を第２作業床６のそれぞれの側面に設けた取付金具１０から取り外し、これらの下端を昇降路壁に設けた取付金具９のそれぞれに係着する。これにより、一対の索状体７のそれぞれは、昇降路壁に上下方向に延設された状態で固定される。また、このような状態から例えば図示しない第２点検梯子を取り外し、第２支持部材５の他端のそれぞれを長尺体２２の切り欠き部２２ａから取り外し、第１点検梯子１１を取り外して、第２作業床６及び長尺体２２を下方に回動させる。図３は、このようにして第２作業床６及び長尺体２２を下方に回動させ、長尺体２２を第１作業床２内に位置させたときと同様の状態を示している。
【００３４】
さらに、このような状態から、第１支持部材４の他端をベース部材３の切り欠き部３ａから取り外し、第１作業床２を下方に回動させる。これにより図４に示すように、第１作業床２がベース部材３から垂下し、第１支持部材４が第１作業床２から垂下し、長尺体２２がベース部材３から垂下し、第２支持部材５が第２作業床６から垂下する。したがって、第１作業床２、第１支持部材４、長尺体２２、第２作業床６、及び第２支持部材５を、制御盤１の直下に配置させることができる。
【００３５】
すなわち本実施形態は、第１作業床２及び第１支持部材４の回動動作によって第１作業床２を図３に示す第１の高さ位置に水平保持でき、また、第２作業床６、長尺体２２、第２支持部材５、及び索状体７によって、第２作業床６を前述した第１の高さ位置よりも高い図２に示す第２の高さ位置に水平保持できて、点検作業者が乗る作業床の高さ位置を変更することができる。また本実施形態は、収納時には、索状体７を昇降路壁に上下方向に延設されるように固定でき、また、第１作業床２、第１支持部材４、長尺体２２、第２作業床６、及び第２支持部材５を制御盤１の直下に配置することができ、さらに、第１点検梯子１１及び図示しない第２点検梯子を、昇降路のピット床の床面に沿うように載置することができる。これらにより本実施形態は、乗かごの下降時にこの乗かごとの干渉を生じることなく昇降路内に収納させることができる。したがって本実施形態は、昇降路内から本実施形態に係る制御盤点検装置を撤去する煩雑な作業が不要となり、点検作業工数を少なくし、点検作業に要する費用を低減させることができる。
【００３６】
なお、前記実施形態は、第１支持部材４の一端を第１作業床２に回動可能に連結し、第
支持部材４の他端をベース部材３の切り欠き部３ａに係脱可能に構成してあるが、この構成とは逆に、第１作業床２に切り欠き部を形成して、第１支持部材４の一端をベース部材３に回動可能に連結し、第１支持部材４の他端を第１作業床２に形成した切り欠き部に係脱可能に構成してもよい。
【００３７】
また、前記実施形態は、第２支持部材５の一端を第２作業床６に回動可能に連結し、第２支持部材５の他端を長尺体２２の切り欠き部２２ａに係脱可能に構成してあるが、この構成とは逆に、第２作業床６に切り欠き部を形成して、第２支持部材５の一端を長尺体２２に回動可能に連結し、第２支持部材５の他端を第２作業床６に形成した切り欠き部に係脱可能に構成してもよい。
【００３８】
また、前記実施形態は、第２作業床６に回動可能な作業床保持具を索状体７によって構成してあるが、この索状体７に代えて所望の強度を有する棒状体を設け、この棒状体の上端を昇降路壁に対して回動可能に設け、下端を昇降路壁に係脱可能に、また第１作業床６の側面に係脱可能に設けた構成としてもよい。
【符号の説明】
【００３９】
１    制御盤
２    第１作業床
３    ベース部材（ベース部）
３ａ  切り欠き部
４    第１支持部材
５    第２支持部材
６    第２作業床
７    索状体（作業床保持具）
８    取付金具
９    取付金具
１０    取付金具
１１    第１点検梯子
１２    取付部
１３    取付部
２２    長尺体（支柱）
２２ａ  切り欠き部
【図１】
2013018621.tif 000003
【図２】
2013018621.tif 000004
【図３】
2013018621.tif 000005
【図４】
2013018621.tif 000006